(57)【特許請求の範囲】
【請求項１】
枠体と、
前記枠体の内面より突出し、前記内面に対して鋭角を成し、互いの先端が向かい合う二つの傾斜突起と、
長尺形状のシャッター軸部品と、
前記シャッター軸部品に設けられ、前記シャッター軸部品の長手方向に対して平行な第一の軸部品面より垂直に突出し、シャッターが組み付けられるシャッター軸と、
前記シャッター軸部品の両端部に設けられ、前記第一の軸部品面と反対側の面である第二の軸部品面に対して鋭角を成す傾斜形状部と、
を備え、
前記シャッター軸部品は、前記枠体の内面と前記第二の軸部品面が接し、前記傾斜形状部がそれぞれ前記枠体の内面と前記傾斜突起との間に位置する状態で前記枠体に固定される送風機。
【請求項２】
前記枠体の内面より突出する引掛け部を備え、
前記シャッター軸部品は、前記シャッター軸部品のうち前記長手方向に対して平行であり前記第一の軸部品面に対して垂直な第三の軸部品面と前記引掛け部とが接した状態で前記枠体に固定される請求項１に記載の送風機。
【請求項３】
前記シャッター軸部品に設けられ、前記第三の軸部品面より突出する突起部を備え、
前記シャッター軸部品は、前記突起部が前記引掛け部に形成された引掛け穴に挿入された状態で前記枠体に固定される請求項２に記載の送風機。
【請求項４】
前記突起部には、先端側に向かうほど断面積が縮小するテーパー部が形成されている請求項３に記載の送風機。
【請求項５】
前記第二の軸部品面は、前記第三の軸部品面側が前記第三の軸部品面とは反対側の面である第四の軸部品面側よりも隆起した段差形状に形成されており、
前記枠体の内面は、前記枠体の縁が隆起して、段差が形成されており、
前記シャッター軸部品は、前記第二の軸部品面のうち、前記第四の軸部品面側が前記枠体の内面のうち隆起した個所と接し、前記第三の軸部品面側が前記枠体の内面のうち隆起されていない箇所と接する請求項２から４のいずれか一つに記載の送風機。
【請求項６】
前記傾斜形状部と、前記第三の軸部品面とが成す角には面取り加工が施されている請求項２から５のいずれか一つに記載の送風機。
【請求項７】
長尺形状のシャッター軸部品の長手方向に対して平行な第一の軸部品面より垂直に突出するシャッター軸にシャッターを組み付ける工程と、
枠体の内面に対して鋭角を成すように前記内面より突出する傾斜突起と前記枠体の内面との間に、前記シャッター軸部品の両端部に設けられ前記第一の軸部品面と反対側の面である第二の軸部品面に対して鋭角を成す傾斜形状部が位置するように、前記シャッターが組み付けられたシャッター軸部品を前記枠体に挿入する工程と、
を備える送風機の組み立て方法。
【請求項８】
前記シャッターが組み付けられた前記シャッター軸部品を前記枠体に挿入後、前記枠体に設けられた貫通孔と、前記シャッター軸部品に設けられたねじ穴とにシャッター軸固定ねじを挿入し、前記枠体に前記シャッター軸部品を前記シャッター軸固定ねじによって締結する工程を備える請求項７に記載の送風機の組み立て方法。
【発明の詳細な説明】
【技術分野】
【０００１】
本発明は、シャッターを有する送風機に関するものである。
【背景技術】
【０００２】
従来、換気扇等の送風機は、例えば特許文献１の換気扇のように、換気扇本体の外枠を形成する枠体（特許文献１のフレームが該当）の室外側開口部にシャッターが通風路を開閉可能なように複数枚取り付けられていた。【０００３】
特に特許文献１の換気扇では、シャッターの側部に起立状に形成した側壁にシャッター孔を設け、シャッター軸部品（特許文献１のシャッター支持棒が該当）に形成されたシャッター軸（特許文献１のブッシュが該当）をシャッター孔に挿入されることで、シャッターとシャッター軸部品に組み付けている。さらに、シャッターが組み付けられたシャッター軸部品は換気扇の枠体（特許文献１のフレームが該当）に支持されており、シャッターは枠体に回動自在に設けられ、回動することで通風路を開閉することができる。また、枠体には位置合わせのために枠体の内側に突出する筒部が設けられており、シャッター軸部品はシャッター軸が形成された面と反対側の面に逃がし凹部が形成されている。この枠体の筒部にシャッター軸部品の逃がし凹部が嵌挿することでシャッター軸部品と枠体の位置合わせが可能なように形成されている
【先行技術文献】
【特許文献】
【０００４】
【特許文献１】特開２０００−３０４３１６号公報
【発明の概要】
【発明が解決しようとする課題】
【０００５】
しかしながら、特許文献１の換気扇では、シャッター軸部品をシャッター軸と平行な方向に移動させないと、枠体の筒部にシャッター軸部品の逃がし凹部を嵌挿することができない。このため、シャッター軸部品を枠体に固定させるために、シャッター軸部品を平行な方向に移動させる作業、筒部に逃がし凹部が嵌挿されたかどうかを確認する作業、確認のために視点あるいは部品姿勢を変更する動作が発生していた。また、シャッターは室外側開口を封鎖する必要があるため、シャッターの横幅は枠体の室外側開口の幅と略同様であり、シャッター軸部品にシャッターを組み付けた状態ではシャッター軸部品をシャッター軸と平行な方向に移動させることは困難である。以上のように特許文献１の換気扇の組み立てには作業性に問題があった。【０００６】
本発明の目的は、シャッター軸部品と枠体の固定作業を容易にし、作業性の良い送風機を提供することにある。
【課題を解決するための手段】
【０００７】
第一の発明の送風機は、枠体と、枠体の内面より突出し、内面に対して鋭角を成し、互いの先端が向かい合う二つの傾斜突起と、長尺形状のシャッター軸部品と、シャッター軸部品に設けられ、シャッター軸部品の長手方向に対して平行な第一の軸部品面より垂直に突出し、シャッターが組み付けられるシャッター軸と、シャッター軸部品の両端部に設けられ、第一の軸部品面と反対側の面である第二の軸部品面に対して鋭角を成す傾斜形状部と、を備え、シャッター軸部品は、枠体の内面と第二の軸部品面が接し、傾斜形状部がそれぞれ枠体の内面と傾斜突起との間に位置する状態で枠体に固定されることを特徴としている。【０００８】
第二の発明の送風機は、枠体と、枠体の内面より突出する引掛け部と、長尺形状のシャッター軸部品と、シャッター軸部品に設けられ、シャッター軸部品の長手方向に対して平行な第一の軸部品面より垂直に突出し、シャッターが組み付けられるシャッター軸と、を備え、シャッター軸部品は、シャッター軸部品のうち長手方向に対して平行であり第一の軸部品面に対して垂直な面と引掛け部とが接した状態で枠体に固定されることを特徴としている。【０００９】
本発明の送風機の組み立て方法は、長尺形状のシャッター軸部品の長手方向に対して平行な第一の軸部品面より垂直に突出するシャッター軸にシャッターを組み付ける工程と、
枠体の内面に対して鋭角を成すように内面より突出する傾斜突起と枠体の内面との間に、シャッター軸部品の両端に設けられ第一の軸部品面と反対側の面である第二の軸部品面に対して鋭角を成す傾斜形状部が位置するように、シャッターが組み付けられたシャッター軸部品を枠体に挿入する工程と、を備えることを特徴としている。
【発明の効果】
【００１０】
第一の発明の送風機は、枠体に枠体の内面に対して鋭角を成すように突出する傾斜突起を備え、シャッター軸部品の両端に第一の軸部品面と反対側の面である第二の軸部品面に対して鋭角を成す傾斜形状部を備えている。このため、シャッター軸部品と枠体の位置合わせは、傾斜形状部を枠体の側面と傾斜突起との間に位置させることで行うことができ、送風機を組み立てる際にシャッター軸部品をシャッター軸と平行な方向に動かす必要は無く、シャッター軸部品と枠体の固定作業を容易に行うことができる。【００１１】
第二の発明の送風機は、枠体に枠体の内面より突出する引掛け部を備えている。このため、シャッター軸部品と枠体の位置合わせは、シャッター軸部品のシャッター軸が設けられた面とは垂直な面が引掛け部と接することで行うことができ、送風機を組み立てる際にシャッター軸部品をシャッター軸と平行な方向に動かす必要は無く、シャッター軸部品と枠体の固定作業を容易に行うことができる。【００１２】
本発明の送風機の組み立て方法は、シャッター軸部品にシャッターを組み付ける工程と、内面に対して鋭角を成すように突出する傾斜突起と内面の間にシャッター軸部品の両端部に設けられ第二の軸部品面に対して鋭角を成す傾斜突起部が位置するようシャッターが組み付けられたシャッター軸部品を枠体内に挿入する工程を備えている。このため、シャッターを組み付けた状態でシャッター軸部品とシャッターを枠体内に挿入できるため、シャッター軸部品と枠体の固定作業を容易に行うことができる。
【図面の簡単な説明】
【００１３】
【図１】実施の形態に係る換気扇を示す分解斜視図である。
【図２】実施の形態に係る換気扇のシャッター構造部を示す斜視図である。
【図３】実施の形態に係る換気扇のシャッターを示す斜視図である。
【図４】実施の形態に係る換気扇の枠体を示す斜視図である。
【図５】実施の形態に係る換気扇の枠体の図４における領域Ｂの拡大図である。
【図６】実施の形態に係る換気扇のシャッター軸部品を示す斜視図である。
【図７】実施の形態に係る換気扇のシャッター軸部品を示す上面図である。
【図８】実施の形態に係る換気扇のシャッター軸部品を示す側面図である。
【図９】実施の形態に係る換気扇のシャッター軸部品の図６における領域Ｃの拡大図である。
【図１０】実施の形態に係る換気扇のシャッター構造の組み立て方法の第一の工程を示す斜視図である。
【図１１】実施の形態に係る換気扇のシャッター構造の組み立て方法の第二の工程を示す斜視図である。
【図１２】実施の形態に係る換気扇のシャッター構造部の図２における領域Ａの拡大図である。
【図１３】実施の形態に係る換気扇のシャッター構造部を示す上面図である。
【発明を実施するための形態】
【００１４】
実施の形態．
以下、実施の形態では、本発明の送風機の一例として換気扇について説明を行う。また、本発明の実施の形態について、図を用いて説明する。なお、各図中、同一又は相当する部分には、同一符号を付している。実施の形態の説明において、同一又は相当する部分については、その説明を適宜省略又は簡略化する。各図では矢印Ｘ、矢印Ｙ、矢印Ｚを、相互に直交する直交座標系の３軸方向に定義しているが、これは、説明のために便宜上記したものであり、部品等の配置や向き等を限定するものではない。
【００１５】
図１は、実施の形態に係る換気扇を示す分解斜視図である。まずは換気扇１について説明する。換気扇１は、正面側（矢印Ｚの先端側）に正面側開口部が形成され背面側（矢印Ｚの基点側）には背面側開口部が形成され内部に前面側開口部と背面側開口部を連通する風路が形成された枠体２００と、シャッター軸部品３００（図２参照）によって枠体２００の背面側開口部を開閉可能に配置された複数のシャッター４００と、枠体２００の風路内に固定される電動機５００と、電動機５００の回転軸５０１にスピンナー６０１を用いて着脱自在に固定されるファン６００と、枠体２００の前面側開口部に取り付けられるオリフィス７００と、電源線８０１を介して電源と接続し電動機５００に電力を供給する配線ボックス８００と、を備えている。また、枠体２００、シャッター軸部品３００及び複数のシャッター４００が組み立てられた構造物をシャッター構造部１００と称する。
【００１６】
図２は、実施の形態に係る換気扇のシャッター構造部を示す斜視図である。次にシャッター構造部１００について説明する。シャッター構造部１００は、枠体２００と、枠体２００の背面側開口部側の内面に対向した状態で固定される２本のシャッター軸部品３００と、枠体２００に対して回動可能にシャッター軸部品３００同士の間に支持される複数のシャッター４００と、シャッター軸部品３００を枠体２００に固定する複数のシャッター軸固定ねじ（図示省略）によって構成されている。なお、説明のため、２本のシャッター軸部品３００のうち、一方のシャッター軸部品３００を第一のシャッター軸部品３００ａ、他方のシャッター軸部品３００を第二のシャッター軸部品３００ｂ（図１０，１１参照）と称す。また、本実施の形態ではシャッター構造部１００は３枚のシャッター４００から構成され、それぞれ第一のシャッター４００ａ、第二のシャッター４００ｂ、第三のシャッター４００ｃと称する。
【００１７】
図３は、実施の形態に係る換気扇のシャッターを示す斜視図である。シャッター４００には、枠体２００の開口部を開閉する板状の部品である板部４０１と、板部４０１の両端に設けられ取付穴４０３が形成されたシャッター側壁４０２とが、それぞれ形成されている。後述するようにシャッター軸部品３００に形成されたシャッター軸３１１が取付穴４０３に挿入されることで、図２に示すようにシャッター４００はシャッター軸部品３００に支持される。また、取付穴４０３にシャッター軸３１１が挿入された状態でシャッター軸部品３００は枠体２００に固定されるため、シャッター４００は枠体２００に対して回動可能であり、背面側開口部を開閉することができる。
【００１８】
このため、図１において、電動機５００に電力が供給され回転軸５０１及びファン６００が回転して枠体２００の前面側開口部から背面側開口部に向かって空気の流れが枠体２００の風路に形成される際に、シャッター４００は形成された空気の流れによる風圧を受け、風圧によって背面側開口部を開く方向に回動する。また、電動機５００への電力の供給が遮断され、回転軸５０１及びファン６００の回転が停止すると、シャッター４００に加わっていた風圧が無くなり、シャッター４００は自重により、背面側開口部を閉じる方向に回動する。
【００１９】
図４は、実施の形態に係る換気扇の枠体を示す斜視図である。図５は、実施の形態に係る換気扇の枠体の図４における領域Ｂの拡大図である。次に枠体２００について説明する。枠体２００は、枠体天面２０１と、枠体側面２０２，２０３と、枠体底面２０４によって矩形形状に形成されている。また、前述のように枠体２００の正面側（矢印Ｚの先端側）には正面側開口部が形成され、背面側（矢印Ｚの基点側）には背面側開口部が形成され、内部には正面側開口部と背面側開口部を連通する風路が形成されている。
【００２０】
枠体側面２０２の背面側開口部の縁２０２ａは枠体２００の内面へ折り曲げられたヘミング形状になっており、ヘミング形状が形成されていない箇所に比べて縁２０２ａが枠体側面２０２よりも風路側へ隆起し、内面には段差が形成されている。また、図示を省略しているが、枠体側面２０３の背面側開口部の縁も、枠体側面２０２の縁２０２ａと同様のヘミング形状になっている。
【００２１】
枠体側面２０２，２０３の背面側開口部付近の内面には、傾斜突起２１１と引掛け部２１２と貫通孔２１３が、枠体天面２０１側から枠体底面２０４側に向かって、傾斜突起２１１、引掛け部２１２、貫通孔２１３、貫通孔２１３、引掛け部２１２、傾斜突起２１１の順番にそれぞれ形成されている。このため、枠体２００には、傾斜突起２１１と、引掛け部２１２と、貫通孔２１３とがそれぞれ四ヵ所ずつに形成されている。ここで枠体側面２０２の枠体天面２０１側に位置する傾斜突起２１１と引掛け部２１２と貫通孔２１３を、それぞれ第一の傾斜突起２１１ａと第一の引掛け部２１２ａと第一の貫通孔２１３ａと称し、枠体底面２０４側に位置する傾斜突起２１１と引掛け部２１２と貫通孔２１３をそれぞれ第二の傾斜突起２１１ｂと第二の引掛け部２１２ｂと第二の貫通孔２１３ｂと称する。また、枠体側面２０３の枠体天面２０１側に位置する傾斜突起２１１と引掛け部２１２と貫通孔２１３を、それぞれ第三の傾斜突起２１１ｃと第三の引掛け部２１２ｃと第三の貫通孔２１３ｃと称し、枠体底面２０４側に位置する傾斜突起２１１と引掛け部２１２と貫通孔２１３をそれぞれ第四の傾斜突起２１１ｄと第四の引掛け部２１２ｄと第四の貫通孔２１３ｄと称する。
【００２２】
図５に示すように、傾斜突起２１１は、枠体側面２０２の縁２０２ａ又は枠体側面２０３の縁に対してそれぞれ垂直な線を曲げ線として、枠体２００の内面側へ切り起こされている。また、図４及び図５に示すように第一の傾斜突起２１１ａと第二の傾斜突起２１１ｂはそれぞれの先端が対向するように枠体側面２０２の内面に対して鋭角を成すように切り起こされている。さらに、第三の傾斜突起２１１ｃと第四の傾斜突起２１１ｄも同様にそれぞれの先端が対向するように枠体側面２０３の内面に対して同様の鋭角を成すように切り起こされている。
【００２３】
引掛け部２１２は、枠体側面２０２の縁２０２ａ又は枠体側面２０３の縁に対して平行な線を曲げ線として切り起こされている。また、引掛け部２１２には引掛け穴２１４が形成されており、第一の引掛け部２１２ａ、第二の引掛け部２１２ｂ、第三の引掛け部２１２ｃ並びに第四の引掛け部２１２ｄに形成された引掛け穴２１４を、第一の引掛け穴２１４ａ、第二の引掛け穴２１４ｂ、第三の引掛け穴２１４ｃ並びに第四の引掛け穴２１４ｄとそれぞれ称する。
【００２４】
また、図４に示すように枠体２００の背面側開口部付近には枠体天面２０１から枠体底面２０４にかけて二本の電動機固定梁２１０が設けられている。電動機固定梁２１０にはねじ穴２１０ａが設けられており、ねじ穴２１０ａを用いて電動機固定梁２１０に電動機５００が固定することができる。
【００２５】
図６は、実施の形態に係る換気扇のシャッター軸部品を示す斜視図である。図７は、実施の形態に係るシャッター軸部品を示す上面図である。図８は、実施の形態に係る換気扇のシャッター軸部品を示す側面図である。図９は、実施の形態に係る換気扇のシャッター軸部品の図６における領域Ｃの拡大図である。次にシャッター軸部品３００について説明する。シャッター軸部品３００は、長尺形状の部品であり、長手方向に対して平行な所定の第一の軸部品面３０１より垂直にそれぞれ突出する複数のシャッター軸３１１と、第一の軸部品面３０１とは反対側の面である第二の軸部品面３０２と鋭角を成すようにシャッター軸部品３００の両端部に形成された傾斜形状部３１２と、長手方向に対して平行であり第一の軸部品面３０１に対して垂直な第三の軸部品面３０３よりシャッター軸３１１の突出方向に対して垂直に突出する複数の突起部３１３と、を有している。また、第三の軸部品面３０３と傾斜形状部３１２とが成す角には面取り加工が施され、面取部３１４が形成されている。さらに、第一の軸部品面３０１より遮蔽部３１８が突出している。なお、実施の形態のシャッター軸部品は樹脂製であり、シャッター軸３１１、傾斜形状部３１２、突起部３１３、面取部３１４及び遮蔽部３１８が一体で形成されている。
【００２６】
また、図７に示すように、第二の軸部品面３０２は、第三の軸部品面３０３側が第三の軸部品面３０３側とは反対の面である第四の軸部品面３０４側よりも隆起した段差形状になるよう形成されている。この段差形状のうち第三の軸部品面３０３側の箇所を、段差上面３０２ａと称し、第四の軸部品面３０４側の箇所を段差下面３０２ｂと称する。
【００２７】
シャッター軸３１１は、実施の形態では６本設けられており、それぞれ一方の端部側から第一のシャッター軸３１１ａ、第二のシャッター軸３１１ｂ、第三のシャッター軸３１１ｃ、第四のシャッター軸３１１ｄ、第五のシャッター軸３１１ｅ、第六のシャッター軸３１１ｆと称する。それぞれのシャッター軸３１１は、シャッター軸部品３００の長手方向の中央において線対称になるように配置されている。つまり、第四のシャッター軸３１１ｄは第三のシャッター軸３１１ｃと、第五のシャッター軸３１１ｅは第二のシャッター軸３１１ｂと、第六のシャッター軸３１１ｆは第一のシャッター軸３１１ａと、それぞれシャッター軸部品３００の長手方向の中央において線対称の位置に設けられている。
【００２８】
また、図８に示すように、シャッター軸部品３００の長手方向の中央付近に位置するシャッター軸３１１の内部、つまり第三のシャッター軸３１１ｃ及び第四のシャッター軸３１１ｄの内部にはねじ穴３１５が形成されており、ねじ穴３１５は少なくとも段差上面３０２ａに露出している。なお、ねじ穴３１５は、シャッター軸部品３００が枠体２００に挿入された場合において、ねじ穴３１５の中心軸が枠体２００の貫通孔２１３の中心軸と一致するようにそれぞれ形成されている。
【００２９】
傾斜形状部３１２は、図６及び図９で示すように第一の軸部品面３０１の反対側の面である第二の軸部品面３０２と鋭角を成しており、傾斜形状部３１２が成す鋭角の角度は、傾斜突起２１１が枠体側面２０２，２０３の内面と成す鋭角の角度と略等しい。また、傾斜形状部３１２の両先端の距離は、傾斜突起２１１の曲げ線の間隔と略等しい。このため、後述するようにシャッター軸部品３００が枠体２００に挿入された際に、傾斜形状部３１２は傾斜突起２１１と枠体側面２０２，２０３の内面との間に位置する。なお、一方の端部側にある傾斜形状部３１２を第一の傾斜形状部３１２ａと称し、他方の端部側にある傾斜形状部３１２を第二の傾斜形状部３１２ｂと称する。
【００３０】
突起部３１３は、それぞれ傾斜形状部３１２とねじ穴３１５との間に設けられており、第一の傾斜形状部３１２ａとねじ穴３１５の間に設けられた突起部３１３を第一の突起部３１３ａと称し、第二の傾斜形状部３１２ｂとねじ穴３１５の間に設けられた突起部３１３を第二の突起部３１３ｂと称する。また、第一の突起部３１３ａと第二の突起部３１３ｂはそれぞれシャッター軸部品３００の長手方向の中央において線対称の位置に設けられている。更に、突起部３１３は、それぞれシャッター軸部品３００が枠体２００に挿入された際に枠体２００の引掛け穴２１４に挿入される位置に設けられている。
【００３１】
突起部３１３は、第三の軸部品面３０３側より等断面形状で突出する等断面部３１６と、等断面部３１６よりも先端側に位置し先端側に向かうほど断面積が縮小するテーパー部３１７が形成されている。また、等断面部３１６の断面形状は、枠体２００の引掛け穴２１４の形状と略同様である。
【００３２】
遮蔽部３１８は、第一の軸部品面３０１より突出しており、第一のシャッター軸３１１ａと第二のシャッター軸３１１ｂの間と、第三のシャッター軸３１１ｃと第四のシャッター軸３１１ｄの間と、第五のシャッター軸３１１ｅと第六のシャッター軸３１１ｆの間に位置するように形成されている。遮蔽部３１８は、シャッター構造部１００が組み立てられ、シャッター４００が背面側開口部を閉じた状態では、シャッター４００の側面と遮蔽部３１８が重なり合うこととなる。このため、シャッター４００と枠体２００の間に形成される隙間を遮蔽部３１８に正面側開口から見えなくすることができ、背面側開口部からの光漏れや隙間風の侵入を低減することができる。
【００３３】
図１０は、実施の形態に係る換気扇のシャッター構造部の組み立て方法の第一の工程を示す斜視図である。図１１は、実施の形態に係る換気扇のシャッター構造部の組み立て方法の第二の工程を示す斜視図である。図１２は、実施の形態に係る換気扇のシャッター構造部の図２における領域Ａの拡大図である。図１３は、実施の形態に係る換気扇のシャッター構造部を示す上面図である。なお、図１２及び図１３については説明のため、それぞれシャッター４００と枠体天面２０１を省略している。次に、シャッター構造部１００の組み立て方法について説明する。
【００３４】
まず、第一の工程として、シャッター軸部品３００にシャッター４００を組み付ける工程を行う。具体的には、シャッター４００のシャッター側壁４０２に形成された取付穴４０３に第一のシャッター軸部品３００ａ及び第二のシャッター軸部品３００ｂのシャッター軸３１１が挿入される。この際に第二のシャッター軸部品３００ｂは、第一のシャッター軸部品３００ａに対して長手方向に１８０°回転させて使用される。つまり、第一のシャッター軸部品３００ａの第一のシャッター軸３１１ａと第二のシャッター軸部品３００ｂの第六のシャッター軸３１１ｆが第一のシャッター４００ａの取付穴４０３に挿入され、第一のシャッター軸部品３００ａの第三のシャッター軸３１１ｃと第二のシャッター軸部品３００ｂの第四のシャッター軸３１１ｄが第二のシャッター４００ｂ取付穴４０３に挿入され、第一のシャッター軸部品３００ａの第五のシャッター軸３１１ｅと第二のシャッター軸部品３００ｂの第二のシャッター軸３１１ｂが第三のシャッター４００ｃ取付穴４０３に挿入される。
【００３５】
次に第二の工程として、シャッター軸部品３００にシャッター４００を組み付けた状態で、シャッター軸部品３００及びシャッター４００を枠体２００内に挿入する工程を行う。この際に、シャッター軸部品３００の傾斜形状部３１２並びに突起部３１３を、枠体２００の枠体側面２０２，２０３の内面と傾斜突起２１１の間並びに引掛け穴２１４にそれぞれ挿入され、シャッター軸部品３００は枠体２００に係合される。
【００３６】
具体的には、図８に示すようにシャッター４００を支持した第一のシャッター軸部品３００ａ及び第二のシャッター軸部品３００ｂの第三の軸部品面３０３を枠体２００と対向させ、図９に示すように第一のシャッター軸部品３００ａの第一の傾斜形状部３１２ａが枠体側面２０２の内面と第一の傾斜突起２１１ａとの間に位置し、第一のシャッター軸部品３００ａの第一の突起部３１３ａが第一の引掛け穴２１４ａ内に位置する状態になるまで第一のシャッター軸部品３００ａ、第二のシャッター軸部品３００ｂ及びシャッター４００が背面側開口部より枠体２００内部に挿入される。なお、図示を省略したが、図９に示す状態では、第一のシャッター軸部品３００ａの第二の傾斜突起２１１ｂは枠体側面２０２の内面と第二の傾斜突起２１１ｂの間に位置しており、第一のシャッター軸部品３００ａの第二の突起部３１３ｂは第二の引掛け穴２１４ｂ内に位置している。また、第二のシャッター軸部品３００ｂの第一の傾斜形状部３１２ａは枠体側面２０３の内面と第四の傾斜突起２１１ｄとの間に位置し、第二のシャッター軸部品３００ｂの第二の傾斜形状部３１２ｂは枠体側面２０３の内面と第三の傾斜突起２１１ｃとの間に位置し、第二のシャッター軸部品３００ｂの第一の突起部３１３ａは第四の引掛け穴２１４ｄ内に位置し、第二のシャッター軸部品３００ｂの第二の突起部３１３ｂは第三の引掛け穴２１４ｃ内に位置している。
【００３７】
また、シャッター軸部品３００及びシャッター４００の挿入の途中に、シャッター軸部品３００の段差上面３０２ａと、枠体側面２０２の縁２０２ａ及び枠体側面２０３の縁とが接触する。しかしながら、シャッター軸部品３００又は枠体２００のどちらかを弾性変形させることで、シャッター軸部品３００及びシャッター４００を更に枠体２００の内部に挿入することができる。なお、シャッター軸部品３００と枠体２００が係合された状態では、図１０に示すように、第一のシャッター軸部品３００ａの段差上面３０２ａが枠体側面２０２の内面のうち縁２０２ａのヘミング形状が形成されていない箇所と接し、段差下面３０２ｂが枠体側面２０２の内面のうち縁２０２ａと接し、第三の軸部品面３０３と引掛け部２１２とが接する。また、図示を省略したが、第二のシャッター軸部品３００ｂも同様に段差上面３０２ａが枠体側面２０３の内面のうち縁のヘミング形状が形成されていない箇所と接し、段差下面３０２ｂが枠体側面２０３の内面のうち縁と接する。
【００３８】
このようにシャッター軸部品３００が枠体２００と係合された状態では、傾斜形状部３１２が枠体側面２０２，２０３の内面と傾斜突起２１１の間にあるため、シャッター軸部品３００は、Ｘ軸方向の動きとＺ軸を中心とした回転及びＹ軸を中心とした回転が抑制される。また、突起部３１３は引掛け穴２１４に挿入されているため、Ｘ軸方向の動きとＹ軸方向の動きと、Ｘ軸、Ｙ軸並びにＺ軸を中心とした回転が抑制される。さらに、第三の軸部品面３０３と引掛け部２１２とが接するため、Ｚ軸の先端方向への動きが抑制される。さらに、図１０に示すように段差上面３０２ａが枠体側面２０２，２０３の内面のうちヘミング形状が形成されていない箇所、つまり内面のうち隆起されていない箇所と接しているため、シャッター軸部品３００がＺ軸の基点方向へ動くと段差上面３０２ａが枠体側面２０２の縁２０２ａ及び枠体側面２０３の縁のヘミング形状によって形成された段差に引っ掛かり、シャッター軸部品３００のＺ軸の基点方向への動きも抑制されている。このため、シャッター軸部品３００の両端は傾斜突起２１１と引掛け部２１２と縁２０２ａによって枠体２００と係合される。
【００３９】
さらに、シャッター軸部品３００には、第三の軸部品面３０３と傾斜形状部３１２とが成す角に面取部３１４が形成されているため、傾斜形状部３１２が傾斜突起２１１と枠体側面２０２，２０３の内面との間に挿入され易くなっている。また、突起部３１３の先端にはテーパー部３１７が形成されているため、突起部３１３は引掛け穴２１４に挿入され易くなっている。
【００４０】
最後に、第三の工程として、シャッター軸部品３００のねじ穴３１５と、枠体２００の貫通孔２１３にシャッター軸固定ねじが挿入する工程を行う。この工程によって、シャッター軸部品３００と枠体２００はシャッター軸固定ネジにより締結され、強固に固定される。以上の工程を行うことでシャッター構造部１００の組み立ては完了する。
【００４１】
このように実施の形態の換気扇１は、シャッター軸部品３００を枠体２００のシャッター軸と平行な方向に移動させることなく、シャッター軸部品３００を枠体２００に固定することができるため、シャッター軸部品３００にシャッター４００を組み付けた状態でシャッター軸部品３００を枠体２００に挿入することができ、従来の換気扇よりも作業性が向上している。
【００４２】
また、傾斜突起２１１、引掛け部２１２、引掛け穴２１４、縁２０２ａ、傾斜形状部３１２、突起部３１３並びに段差形状の第二の軸部品面３０２による枠体２００とシャッター軸部品３００の係合はシャッター軸固定ねじが挿入されていない状態でも有効であるため、この係合によって貫通孔２１３の中心軸とねじ穴３１５の中心軸を合わせた状態を維持することができ、シャッター軸固定ねじの挿入作業を容易に行うことができ、作業性が向上している。
【００４３】
さらに、特許文献１で示した従来の換気扇ではシャッター軸部品の両端が固定されていないが、実施の形態の換気扇１はシャッター軸部品３００の両端が傾斜突起２１１と引掛け部２１２と縁２０２ａによって係合されている。従来の換気扇でははね出し単純梁の構造になっていたが、実施の形態の換気扇１は両端支持梁の構造になっているため、シャッター軸部品に加わる荷重に対する強度は実施の形態の換気扇の構造の方が優れている。
【００４４】
また、電動機の振動が枠体に伝達し、電動機の運転中に枠体は軽微ではあるが振動する。従来の換気扇のようにシャッター軸部品の両端が枠体に固定されていない場合は、枠体の振動に同期して枠体とシャッター軸部品の端部の接触音が発生するが、実施の形態の換気扇１はシャッター軸部品の両端が枠体に係合されているため、枠体とシャッター軸部品の端部の接触音が抑制される。このため、実施の形態の換気扇１は、従来の換気扇よりも換気扇より発せられる騒音が小さくなる。
【００４５】
なお、実施の形態では、本発明の送風機の一例として換気扇について説明を行ったが、本発明は換気扇のみに限定されず、一方向に向けて送風を行う送風機であれば適応することができる。また、実施の形態では、シャッター４００が３枚でシャッター軸部品３００に形成されるシャッター軸３１１が６本の場合について、説明したが、シャッターの枚数やシャッター軸の本数は適時決定されるものであり、本発明に関係しない。
【００４６】
また、実施の形態では、シャッター４００は、ファン６００の回転によって発生する空気の流れによる風圧を受けて背面側開口部を開く方向に回動し、風圧が無くなると自重によって背面側開口部を閉じる方向に回動するが、これに限らず、電動機が運転時に背面側開口部が開くようにシャッターが動き、電動機が停止時に背面側開口部が閉じるようにシャッターが動くことができればよい。例えば特許文献１のようにシャッターに連結杆の一方を連結し、連結杆の他方を電動機が運転時にはシャッターを開き電動機が停止時にはシャッターを閉じるように連動する開閉器によって、シャッターを開閉しても良い。
【００４７】
また、実施の形態の換気扇は、傾斜突起２１１、引掛け部２１２、引掛け穴２１４、縁２０２ａ、傾斜形状部３１２、突起部３１３並びに段差形状の第二の軸部品面３０２を備えることによって枠体２００とシャッター軸部品３００の係合を行っているが、これには限らない。
【００４８】
例えば、枠体２００に傾斜突起２１１のみを有し、シャッター軸部品３００に傾斜形状部３１２のみを有する場合であっても、シャッター軸部品３００をシャッター軸と平行な方向に移動させることなくシャッター軸部品３００を枠体２００に固定することができる。また、この場合でも傾斜突起２１１と傾斜形状部３１２は係合するため、上述のようにシャッター軸固定ねじの挿入作業を容易に行うことができ、更にシャッター軸部品に加わる荷重に対する強度を向上させ、換気扇より発せられる騒音が小さくなる。また、傾斜突起２１１並びに傾斜形状部３１２に加えて、枠体２００に引掛け穴２１４が形成されていない引掛け部２１２を有する場合は、第三の軸部品面３０３と引掛け部２１２とが接するため、Ｚ軸の先端方向への動きが抑制され、さらにシャッター軸固定ねじの挿入作業を容易に行うことができる。
【００４９】
また、枠体２００に引掛け穴２１４が形成されていない引掛け部２１２のみを有する場合であっても、シャッター軸部品３００をシャッター軸と平行な方向に移動させることなくシャッター軸部品３００を枠体２００に固定することができる。また、第三の軸部品面３０３と引掛け部２１２とが接するため、Ｚ軸の先端方向への動きが抑制され、上述のようにシャッター軸固定ねじの挿入作業を容易に行うことができる。さらに、引掛け穴２１４に加えて、引掛け部２１２に引掛け穴２１４を形成し、シャッター軸部品３００に突起部３１３を有する場合では、突起部３１３は引掛け穴２１４に挿入されるため、Ｘ軸方向の動きとＹ軸方向の動きと、Ｘ軸、Ｙ軸並びにＺ軸を中心とした回転が抑制されて、さらにシャッター軸固定ねじの挿入作業を容易に行うことができる。また、突起部３１３はねじ穴３１５よりもシャッター軸部品３００の先端側に位置しているため、突起部３１３と引掛け穴２１４の係合はシャッター軸固定ねじによる固定箇所よりも先端側に位置しており、従来の換気扇に比べて、シャッター軸部品に加わる荷重に対する強度を向上させ、換気扇より発せられる騒音が小さくなる。
【符号の説明】
【００５０】
１  換気扇、１００  シャッター構造部、２００  枠体、２０１  枠体天面、２０２  枠体側面、２０２ａ  縁、２０３  枠体側面、２０４  枠体底面、２１０  電動機固定梁、２１０ａ  ねじ穴、２１１  傾斜突起、２１１ａ  第一の傾斜突起、２１１ｂ  第二の傾斜突起、２１１ｃ  第三の傾斜突起、２１１ｄ  第四の傾斜突起、２１２  引掛け部、２１２ａ  第一の引掛け部、２１２ｂ  第二の引掛け部、２１２ｃ  第三の引掛け部、２１２ｄ  第四の引掛け部、２１３  貫通孔、２１３ａ  第一の貫通孔、２１３ｂ  第二の貫通孔、２１３ｃ  第三の貫通孔、２１３ｄ  第四の貫通孔、２１４  引掛け穴、２１４ａ  第一の引掛け穴、２１４ｂ  第二の引掛け穴、２１４ｃ  第三の引掛け穴、２１４ｄ  第四の引掛け穴、３００  シャッター軸部品、３００ａ  第一のシャッター軸部品、３００ｂ  第二のシャッター軸部品、３０１  第一の軸部品面、３０２  第二の軸部品面、３０２ａ  段差上面、３０２ｂ  段差下面、３０３  第三の軸部品面、３０４  第四の軸部品面、３１１  シャッター軸、３１１ａ  第一のシャッター軸、３１１ｂ  第二のシャッター軸、３１１ｃ  第三のシャッター軸、３１１ｄ  第四のシャッター軸、３１１ｅ  第五のシャッター軸、３１１ｆ  第六のシャッター軸、３１２  傾斜形状部、３１２ａ  第一の傾斜形状部、３１２ｂ  第二の傾斜形状部、３１３  突起部、３１３ａ  第一の突起部、３１３ｂ  第二の突起部、３１４  面取部、３１５  ねじ穴、３１６  等断面部、３１７  テーパー部、３１８  遮蔽部、４００  シャッター、４００ａ  第一のシャッター、４００ｂ  第二のシャッター、４００ｃ  第三のシャッター、４０１  板部、４０２  シャッター側壁、４０３  取付穴、５００  電動機、５０１  回転軸、６００  ファン、６０１  スピンナー、７００  オリフィス、８００  配線ボックス、８０１  電源線
【図１】
0006509326.tif 000002
【図２】
0006509326.tif 000003
【図３】
0006509326.tif 000004
【図４】
0006509326.tif 000005
【図５】
0006509326.tif 000006
【図６】
0006509326.tif 000007
【図７】
0006509326.tif 000008
【図８】
0006509326.tif 000009
【図９】
0006509326.tif 000010
【図１０】
0006509326.tif 000011
【図１１】
0006509326.tif 000012
【図１２】
0006509326.tif 000013
【図１３】
0006509326.tif 000014